(57)【要約】【課題】仮設足場用筋交いに備えられる支柱を連結する管体の接続構造において、簡単な構成で容易に製作することができるとともに、支柱を接続しやすい管体の接続構造を提供する。【解決手段】被接続管の管体内に差込管１０の差込筒部２０が挿入されて両者が連結されてなる管体の接続構造であって、差込管の差込筒部の端部近傍が先細のテーパ状筒部３０に形成されているとともに、テーパ状筒部の端面３５の外周縁部３６が曲面にて形成されており、テーパ状筒部の先端面３７に差込管の端面が露出し、差込管が中央筒部２１の両側に差込筒部を有する連結ピン５０である、若しくは差込管が一側が支持管Ｐ１に固着された他側に差込筒部を有する支柱差込管６０である管体の接続構造を提供する。【選択図】図１
2015124595.tif 000002
【特許請求の範囲】
【請求項１】
被接続管の管体内に差込管の差込筒部が挿入されて両者が連結されてなる管体の接続構造であって、
前記差込管の差込筒部の端部近傍が先細のテーパ状筒部に形成されているとともに、前記テーパ状筒部の端面の外周縁部が曲面にて形成されていることを特徴とする管体の接続構造。
【請求項２】
前記テーパ状筒部の先端面に差込管の端面が露出している請求項１に記載の管体の接続構造。
【請求項３】
前記差込管が中央筒部の両側に差込筒部を有する連結ピンである請求項１又は２に記載の管体の接続構造。
【請求項４】
前記差込管が一側が支持管に固着された他側に差込筒部を有する支柱差込管である請求項１又は２に記載の管体の接続構造。
【発明の詳細な説明】
【技術分野】
【０００１】
本発明は、仮足場のための支柱を連結する管体の接続構造に関する。
【背景技術】
【０００２】
建築物等の工事等に際し、建築物の外周に仮設足場が設置される。複数本の支柱が所定間隔で配置され、各支柱間には足場板が架設されて複数階層の足場が形成される。このような足場は、足場板を架設させる前に斜材、水平材等の足場材を先行して配置しされる。例えば、特許文献１では、支柱の水平方向に取り付けられたフランジ部に、足場材の端部に形成された接続部をくさび部材により接続する機構の連結構造が提案されている。このように足場を形成するにはいくつもの部材を連結等することにより組み立てられる。
【０００３】
足場を組み立てる際には、建築物等の周囲に所定間隔で支柱を配置し、支柱の高さは建設物に合わせて適宜決定される。支柱の高さは図５に示す従来の連結ピン１００により接続されて調節される。支柱上部の管内に連結ピン１００を差し込み、連結ピン１００の胴部１２０に形成された貫通孔１４０及び支柱の胴部に形成された貫通孔に取付ボルト等を貫通して固定する。同様にして、連結ピン１００上部を被連結支柱下部の管体内に差し込み、貫通孔１４０と被連結支柱に形成された貫通孔に取付ボルト等を貫通して固定する。連結ピン１００の胴部１２０中央近傍には、受け部１５０が形成されている。
【０００４】
連結ピン１００の端部を曲面２１０に折り曲げ加工２００を施すことによって、管体内への差し込みを行いやすくしている。折り曲げ加工は、連結ピンの先端を押圧して施され、作業者の指先の損傷を回避するために、先端を内側に折り曲げて形成される。このため、連結ピンの製作には手間がかかり、コストがかかってしまっていた。また、支柱に取り付けられた連結ピンに被連結支柱を取り付けるときに、被連結支柱が少しでも傾いでいると連結ピンを管体内に差し込むことができず、手間であった。また、支柱は長尺であることから、支柱を連結ピンに対して平行に維持して挿入することは、強く力を込める必要があり、不便であった。
【先行技術文献】
【特許文献】
【０００５】
【特許文献１】特許第５２７０１４７号公報
【発明の概要】
【発明が解決しようとする課題】
【０００６】
本発明は、前記の点に鑑みなされたものであって、仮設足場用筋交いに備えられる支柱を連結する管体の接続構造において、簡単な構成で容易に製作することができるとともに、支柱を接続しやすい管体の接続構造を提供する。
【課題を解決するための手段】
【０００７】
すなわち、請求項１の発明は、被接続管の管体内に差込管の差込筒部が挿入されて両者が連結されてなる管体の接続構造であって、前記差込管の差込筒部の端部近傍が先細のテーパ状筒部に形成されているとともに、前記テーパ状筒部の端面の外周縁部が曲面にて形成されていることを特徴とする管体の接続構造に係る。
【０００８】
請求項２の発明は、前記テーパ状筒部の先端面に差込管の端面が露出している請求項１に記載の管体の接続構造に係る。
【０００９】
請求項３の発明は、前記差込管が中央筒部の両側に差込筒部を有する連結ピンである請求項１又は２に記載の管体の接続構造に係る。
【００１０】
請求項４の発明は、前記差込管が一側が支持管に固着された他側に差込筒部を有する支柱差込管である請求項１又は２に記載の管体の接続構造に係る。
【発明の効果】
【００１１】
請求項１の発明に係る管体の接続構造によると、被接続管の管体内に差込管の差込筒部が挿入されて両者が連結されてなる管体の接続構造であって、前記差込管の差込筒部の端部近傍が先細のテーパ状筒部に形成されているとともに、前記テーパ状筒部の端面の外周縁部が曲面にて形成されているため、簡単な構成で容易に製作することができるとともに、支柱を接続しやすくすることができる。
【００１２】
請求項２の発明に係る管体の接続構造によると、請求項１の発明において、前記テーパ状筒部の先端面に差込管の端面が露出しているため、成形が容易である。
【００１３】
請求項３の発明に係る管体の接続構造によると、請求項１又は２の発明において、前記差込管が中央筒部の両側に差込筒部を有する連結ピンであるため、接続される支柱に特別な処理を施すことなく接続することができる。
【００１４】
請求項４の発明に係る管体の接続構造によると、請求項1又は２の発明において、前記差込管が一側が支持管に固着された他側に差込筒部を有する支柱差込管であるため、簡単な構成で容易に支柱を接続することができ、また、安定して接続することができる。
【図面の簡単な説明】
【００１５】
【図１】本発明の管体の接続構造の第１実施例に係る差込管を示す断面図である。
【図２】図１の差込管の差込筒部近傍を示す拡大断面である。
【図３】差込筒部を成形する金型を示す断面図である。
【図４】第２実施例に係る差込管を示す断面図である。
【図５】従来の連結ピンを示す側面図である。
【発明を実施するための形態】
【００１６】
本発明の管体の接続構造は、被接続管の管体内に差込管の差込筒部が挿入されて連結されてなる。被接続管は、支柱である支持管及び支持管に接続されて継ぎ足される継足管である。差込管の差込筒部の端部近傍は先細のテーパ状筒部に形成され、テーパ状筒部の端面の該周縁部は曲面にて形成されている。差込管は支持管の管体内に挿入されて接続するものであることから、支持管の内径よりも小さい外径を有する管体である。
【００１７】
図１に示す本発明の第１実施例に係る差込管１０Ａは、筒状本体１１に中央筒部２１と差込筒部２０とを備え、差込筒部２０は中央筒部２１の一端に形成される。中央筒部２１は、外径が支柱の内径よりも小さく形成されるが、支柱の内径よりも小さすぎるとがたつきを生じるため、がたつきが生じない適宜の外径とすることが望ましい。本実施例の差込管１０Ａは、差込管１０Ａの一側が支持管Ｐ１に固着され、他側に差込筒部２０を有する支柱差込管６０である。中央筒部２１の下部が支持管Ｐ１の上部に溶接により固定される。支持管Ｐ１の上部に露出した差込筒部２０は、継足管Ｐ２の下部に挿入されて支持管Ｐ１と継足管Ｐ２が連結される。図中、符号Ｗは溶接部を示す。
【００１８】
テーパ状筒部３０は、差込筒部２０の端部２５近傍が先端にむかってテーパ状に先細に形成され、先端が中央筒部２１の直径よりも小さい直径を有するため、継足管Ｐ２の管体内に挿入しやすい。継足管Ｐ２を連結する時に、継足管Ｐ２が傾いでいてもテーパ状筒部３０の端部２５を管体内に入れることができれば、差し込み時に傾きが修正されて挿入することができる。また、先細形状であるため、継足管Ｐ２の差し込みが深くなるにつれ支柱の傾きが修正される。これにより、継足管Ｐ２と支持管Ｐ１とを厳密に平行にする必要がないため、余計な力を必要とすることなく容易に連結が可能である。さらに、継足管Ｐ２を中央筒部２１まで差し込むことでがたつきが生じにくくなる。
【００１９】
図２に示すように、テーパ状筒部３０の端面３５の外周縁部３６は曲面に形成される。作業者の指先などを傷つける恐れが小さくなり、さらに管体内にテーパ状筒部３０を挿入するときに角が引っかかったりせず滑らかに挿入することができる。挿入した後は、中央筒部２１に形成された貫通孔４０と、継足管Ｐ２に形成された貫通孔に取付ボルトＢ等を挿通することにより固定する。これにより、支柱の回転が防止され、足場が安定する。また、支柱の外れも防止できるため、支柱等の落下を防ぎ安全である。また、テーパ状筒部３０は、先端面３７に差込管２０の端面３５が露出する構成としてもよい。
【００２０】
図３に示す金型Ｍで差込管１０のテーパ状筒部３０を整形し、外周縁部３６を曲面にて形成することにより、先端面３７を折り曲げて端面を内側に向けなくとも作業者の指先等を傷つけたり、支柱に挿入しづらくなったりすることを防ぐことができる。このように、容易に成形することが可能であるため、製作コストを下げることができ安価に製作することができる。
【００２１】
図４に示す第２実施例の差込管１０Ｂは中央筒部２１の両側に差込筒部２０を有する連結ピン５０である。両側の差込筒部２０は端部２５近傍が先細のテーパ状筒部３０に形成されており、どちらも支柱内部に挿入することができる。まず片側の差込筒部２０を支持管Ｐ１の上部先端から挿入し、中央筒部２１に形成された貫通孔４０と支持管Ｐ１に形成された貫通孔に取付ボルトＢ等を挿通して固定する。他方の差込筒部２０が上方に露出して突出した状態となり、テーパ状筒部３０が継足管Ｐ２の下部に挿入され支持管Ｐ１と連結して接続される。継足管Ｐ２と連結ピン５０も取付ボルトＢ等で固定される。両側に差込筒部２０を形成することにより、支持管Ｐ１及び継足管Ｐ２に特別な加工をすることなく接続することができ、必要に応じて支柱の高さを調整することができる。中央筒部２０の中央には図示するように受け部４１を形成してもよい。
【００２２】
本発明の管体の接続構造は、本実施例に限定されるものではなく、この発明の趣旨を逸脱しない範囲において、構成の一部を適宜に変更して実施することができる。例えば、差込管は支柱に比べて短いため支持管への挿入は煩わしい作業でなく、支持管に挿入する側の差込筒部の端部近傍を先細に形成せずとも使い勝手が良い。
【符号の説明】
【００２３】
１０，１０Ａ，１０Ｂ  差込管
１１  筒状本体
２０  差込筒部
２１  中央筒部
２５  端部
３０  テーパ状筒部
３５  端面
３６  外周縁部
３７  先端面
４０  貫通孔
４１  受け部
５０，１００  連結ピン
６０  支柱差込管
Ｂ  取付ボルト
Ｍ  金型
Ｐ１  支持管
Ｐ２  継足管
【図１】
2015124595.tif 000003
【図２】
2015124595.tif 000004
【図３】
2015124595.tif 000005
【図４】
2015124595.tif 000006
【図５】
2015124595.tif 000007